(57)【要約】【課題】  複数組の試料分注プローブの夫々でダミー試料を吸引できれば効率良く試料分注して測定することができるが、測定可能な分析項目数が少なくなるという問題が生じる。従来の装置では分析効率の向上を第１としていたため、すべての試料分注プローブで試料分注が実行されるようにプログラムされていた。【解決手段】  試料の量が、分析に必要な試料の量に比べて少ない場合は、前記複数組の試料分注機構の少なくとも１つでは前記検体容器中の試料の分注を行わないように前記試料分注機構を制御する制御手段と、を備えた自動分析装置。【選択図】図１
2006017459.tif 000002
【特許請求の範囲】
【請求項１】
同一の検体容器から試料の分注が可能な複数組の試料分注機構と、
該検体容器中の試料の量を検知する試料量検知手段と、
該試料量検知手段からの試料の量に関する情報と、該検体容器中の試料の分析に必要な試料の量とを比較する比較手段と、
該比較手段により試料の量が、分析に必要な試料の量に比べて少ない場合は、前記複数組の試料分注機構の少なくとも１つでは前記検体容器中の試料の分注を行わないように前記試料分注機構を制御する制御手段と、
を備えたことを特徴とする自動分析装置。
【請求項２】
同一の検体容器から試料の分注が可能な複数組の試料分注機構と、
該検体容器中の試料の量を検知する試料量検知手段と、
該試料量検知手段からの試料の量に関する情報と、該検体容器中の試料の分析に必要な試料の量とを比較する比較手段と、
分析項目数を重視するかどうかを予め選択する選択手段と、
該選択手段の選択結果を記憶する記憶手段と、を備え、
前記比較手段により、試料の量が必要な試料の量に比べて少なく、かつ前記記憶手段に分析項目数重視と記憶されていた場合には、前記複数組の試料分注機構の少なくとも１つでは前記検体容器中の試料の分注を行わないように前記試料分注機構を制御する制御手段と、
を備えたことを特徴とする自動分析装置。
【請求項３】
同一の検体容器から試料の分注が可能な複数組の試料分注機構と、
試料ごとに、前記複数組の試料分注機構の少なくとも１つでは前記検体容器中の試料の分注を行わない分注を行うか、全ての試料分注機構を用いて試料の分注を行うかを予め選択する選択手段と、該選択手段の選択結果を記憶する記憶手段と、
該記憶手段に記憶された選択結果に基づいて、前記試料を分注する際に前記複数組の試料分注機構を制御する制御手段と、
を備えたことを特徴とする自動分析装置。
【請求項４】
同一の検体容器から試料の分注が可能な複数組の試料分注機構と、
検体容器の種類，検体容器設置場所，検体容器移送ラックの種類の少なくとも１つの情報に基づき、前記複数組の試料分注機構の少なくとも１つでは前記検体容器中の試料の分注を行わない分注を行うか、全ての試料分注機構を用いて試料の分注を行うかを判断する判断手段と、該判断手段の判断結果に基づいて、試料を分注する際に前記複数組の試料分注機構を制御する制御手段と、
を備えたことを特徴とする自動分析装置。
【請求項５】
請求項４記載の自動分析装置において、
検体容器の種類，検体容器設置場所，検体容器移送ラックの種類による前記判断手段の判断条件を設定する設定手段と、該設定手段の設定結果を記憶する記憶手段と、
を備えたことを特徴とする自動分析装置。
【発明の詳細な説明】
【技術分野】
【０００１】
本発明は血液，尿等の生体試料の定性・定量分析を行う自動分析装置に係り、特に試料分注機構を複数組備えた自動分析装置に関する。
【背景技術】
【０００２】
血液，尿等の生体試料に含まれる特定成分の定性・定量分析を行う自動分析装置では、測定対象の特定成分と反応して色が変る試薬や、標識を備えた特定成分と特異的に結合する試薬を用いて、試料中の特定成分の定性・定量分析を行う。
【０００３】
このような自動分析装置では多くの分析を並行して行うことで分析速度を向上させている。分析速度を更に向上させるため、複数の反応容器に同時に分注可能な複数組の分注機構を備えた自動分析装置が特許文献１に記載されている。
【０００４】
一方、試料分注装置では分注プローブ内に負圧を生じさせて試料を吸引するが、負圧を生じさせるためにプローブ内に水（以下システム水と称する）を充填させ、水を吸引している。この水はプローブ内の洗浄，試料の希釈にも用いられることがある。このようなシステム水と試料が接する界面では試料がシステム水により薄まってしまうため、試料を余分に吸引することが一般的に行われている（この余分に吸う試料のことをダミー試料と称する）。
【０００５】
測定依頼された全ての項目を測定するのに十分な試料量がある場合は、複数組の試料分注プローブの夫々でダミー試料を吸引しても、効率良く試料分注して測定することができたが、不十分な試料量しかない場合には、後から測定する項目は試料不足となってしまうので、臨床検査医学的に重要な項目順に測定するよう操作者が測定順番を装置へ指示する等により対処していた。
【０００６】
【特許文献１】特開平６−１０９７４４号公報
【発明の開示】
【発明が解決しようとする課題】
【０００７】
複数組の試料分注プローブの夫々でダミー試料を吸引できれば効率良く試料分注して測定することができるが、測定可能な分析項目数が少なくなるという問題が生じる。従来の装置では分析効率の向上を第１としていたため、すべての試料分注プローブで試料分注が実行されるようにプログラムされていた。
【０００８】
本発明の目的は試料量に応じて分注方法を切り換えることにより、分析効率向上と分析項目数の確保の両立が可能な自動分析装置を提供することにある。
【課題を解決するための手段】
【０００９】
上記目的を達成するための本発明の構成は以下の通りである。
【００１０】
同一の検体容器から試料の分注が可能な複数組の試料分注機構と、該検体容器中の試料の量を検知する試料量検知手段と、該試料量検知手段からの試料の量に関する情報と、該検体容器中の試料の分析に必要な試料の量とを比較する比較手段と、該比較手段により試料の量が、分析に必要な試料の量に比べて少ない場合は、前記複数組の試料分注機構の少なくとも１つでは前記検体容器中の試料の分注を行わないように前記試料分注機構を制御する制御手段と、を備えた自動分析装置。
【００１１】
同一の検体容器に入った試料（検体）は分析する項目数分だけ反応容器に小分けされる。この場合、１つの試料分注機構のみで試料を分注していては分析速度の向上には限界がある。複数組の試料分注機構を用いて同一の検体容器から試料を分注することにより分析速度の向上が期待できる。それぞれの試料分注機構でダミー試料を吸引すれば、ダミー試料は試料分注機構の数分だけ必要となり、試料の量が少ない場合は、予定されたすべての分析項目の分析ができない可能性がある。そこで、検体容器中の試料の量を検知する手段を備え、検知された試料の量と、当該試料に予定された分析項目の分析に必要な試料の量とを比較して、試料の量の方が少ない場合は、試料分注機構の少なくとも１つを休止させる。試料の量の検知機構としてはどのようなものでも良いが、例えば試料分注機構の液面検知機構を利用して液面高さと容器の内径の情報から試料の体積を計算する方法，検体容器の液面高さを光学的に測定（周知のＣＣＤやレーザ高さ検出機構等を用いることができる）して体積を計算する方法が適用できる。また検体容器の重さで検出する方法なども適用可能である。
【００１２】
休止する試料分注機構の数は検知された試料の量と、当該試料に予定された分析項目の分析に必要な試料の量とを比較した結果に基づいて変化するように設定しても良いし、予め固定した数の試料分注機構を休止させるようにしても良い。
【００１３】
装置のオペレータによっては全ての分析項目の分析が行われるよりは、分析速度が大きい方が良いと考える場合も有り得る。そのようなニーズに対応するため、分析項目数を重視するかどうかを予め選択する選択手段を備えていても良い。
【００１４】
また、検体容器中の試料の量の実測値に基づいて、試料の分注方法を変えるのではなく、予め試料ごとに、前記複数組の試料分注機構の少なくとも１つでは前記検体容器中の試料の分注を行わない分注を行うか、全ての試料分注機構を用いて試料の分注を行うかを予め選択する選択手段を備えていても良い。この場合は、例えば試料ごとに、どちらを選択するか選択できる画面を表示装置に表示させて、オペレータがチェックマーク等を記入して選択する方法等が適用できる。
【００１５】
あるいは、検体容器の種類，検体容器設置場所，検体容器移送ラックの種類などで、試料の分注方法を指定できるようにしても良い。この場合、どの検体容器，検体容器設置場所，検体容器移送ラックでどのような分注方法が取られるかを予め設定する設定手段を備えることが好ましい。
【発明の効果】
【００１６】
本発明によれば、以上説明したように構成されているので、量の少ない試料に対しては、通常よりも少ない分注系統のみで分注するので、ダミー試料量の浪費をより少なくすることができる。
【００１７】
さらに、試料容器または試料容器設置場所または試料容器移送ラックの種類に応じて、その振り分け方法を切り替えるので、指示入力の簡便性を図ることができるようにもなる。
【発明を実施するための最良の形態】
【００１８】
本発明は、二系統以上のｍ系統（ｍ≧２）試料分注機構に測定項目を振り分けて試料分注を行うのに必要な試料総量（＝（試料吐出量＋ダミー試料量）のｍ倍）を試算し実際の試料量と比較して足りない場合、その試料の分注にはそれよりも少ないｎ系統（ｎ＜ｍ，ｎ≧１）の試料分注機構だけを用いるよう測定項目の分注系統への割り振り方法を試料単位で切替えることに特徴がある。この手段により、一試料中の測定項目がｍ系統の試料分注機構に割り振られてしまうことがなくなり、ｎ系統の試料分注機構で分注するので、ダミー試料量の浪費をｎ／ｍ（ｍ分のｎ）に防止することができる。ｍ＝２，ｎ＝１なら、半分になる。
【実施例１】
【００１９】
以下、本発明の一実施例について、ｍ＝２，ｎ＝１の場合の例を図１を用いて説明する。
【００２０】
操作者は、測定する試料の測定項目を図１の入力部１１１から登録する。コンピュータ１１０は、測定項目の登録された試料の測定に必要な試料量を表示部１１２に表示する。操作者は、表示部１１２に表示した測定に必要な試料量と試料容器１０１に入っている試料量を比較し、試料容器１０１に入っている試料量の方が少ない場合、実試料量を入力し、登録した測定項目に測定順位を設定する。
【００２１】
なお、この実試料量を入力する代わりに、装置が自動的に試料量を認識する手段を備えてもよい。例えば、前処理装置から試料量の情報をもらうとか、液量センサによる自動検出などの手段による。
【００２２】
装置は、測定を開始すると、試料量または測定順位を設定していない試料またはそれに代わる自動的な手段で試料量を認識しなかった試料については、試料分注機構Ａ１０２と試料分注機構Ｂ１０３とを交互に用いて試料容器１０１から反応容器１０４へ効率よく試料分注できるように複数の試料分注機構へ測定項目を割り振って分注動作を行う。もしくはその代わりに、試料不足となるのを防ぐためダミー試料の浪費を最小限抑えるような少数の試料分注機構へ測定項目を割り振って分注動作を行うようにシステム設定で切り替えられるように構成した。何れの設定であっても各設定に応じた所定のルールで試料分注を実施し、反応容器１０４へ分注された試料は、試薬分注機構１０５によって試薬を添加され、所定時間後に成分濃度測定機構１０６で成分濃度を測定する。
【００２３】
次に、図２の測定項目振り分け論理に従い、測定項目を複数の試料分注機構に振り分ける場合と、一系統の試料分注機構で試料分注する場合、との判断方法と動作の違いを説明する。
【００２４】
装置は、測定を開始すると、実試料量を入力２０１してある試料に関しては、依頼された測定項目合計で試算した試料総使用量試算値２０２が、入力した実試料量２０１を超えた場合、一系統の試料分注機構１０２または１０３だけで試料分注を実施する。それ以外の場合は、通常の振り分け論理に従って、試料分注機構Ａ１０２と試料分注機構Ｂ１０３とを交互に用いて効率よく試料分注できるように各試料分注機構へ測定項目を割り振って分注動作を行う。
【００２５】
さらに、試料総使用量試算値を試算するためには、実試料量の入力が必要だが、それを省略するため、試料容器に応じてまたは試料容器設置場所に応じてまたは試料容器移送ラックの種類に応じて、使用する分注系統の数を判断をする方式も実施した。なお、この実試料量を入力する代わりに、装置が自動的に試料量を認識する手段を備えてもよい。例えば、前処理装置から試料量の情報をもらうとか、液量センサによる自動検出などの手段による。
【００２６】
また別の機構構成での実施例として、試料分注機構毎に試料分注位置・反応容器駆動系・試薬分注機構・反応容器で混合された反応液の成分濃度を測定する測定機構を装備した分析ユニットを複数台接続した構成の自動分析装置システムの場合、試料用容器移送ラックの配送方法を、上記と同様な条件毎にｍ個の分析ユニットとするのか、それよりも少ないｎ個の分析ユニットとするのかを切り替えることで、同様の効果を得る方法を実施した。
【図面の簡単な説明】
【００２７】
【図１】本発明の自動分析装置の一実施例の説明図。
【図２】本発明の自動分析装置の測定項目の試料分注機構へ振り分け論理の説明図。
【符号の説明】
【００２８】
１０１…試料容器、１０２…試料分注機構Ａ、１０３…試料分注機構Ｂ、１０４…反応容器、１０５…試薬分注機構、１０６…成分濃度測定機構、１１０…制御コンピュータ、１１１…入力部、１１２…表示部、１１３…記憶部、１１４…機構制御部。
【図１】
2006017459.tif 000003
【図２】
2006017459.tif 000004